(57)【要約】【課題】氷を投入することによって冷気を放出することが可能で、持運びが容易な簡易クーラーを提供する。【解決手段】簡易クーラーを、一部あるいは全部が透明材により形成され前面側上部に空気流入口２を前面側下部に空気流出口３を有したクーラー本体１と、クーラー本体１内に設けられ適宜量の氷を空気流入口２と対向する位置に載置可能で氷から生じる冷水を流出する冷水孔４ａを有した氷皿４と、空気流出口３に張設され冷水孔４ａからの冷水を浸透するとともに適度の通気性を有してなる冷水浸透シート５と、外部空気を空気流入口２から氷皿４上方を通過させ冷水浸透シート５を介し外部へと送る送風手段６と、クーラー本体１に着脱自在で冷水浸透シート５から滴下する冷水を蓄える水タンク７と、を備えて構成する。【選択図】    図２
2004264006.tif 000002
【特許請求の範囲】
【請求項１】
氷を投入することで冷気を噴出する事が可能な簡易クーラーであって、
この簡易クーラーを、
一部あるいは全体が透明材によって形成され、前面側上部に空気流入口を前面側下部に空気流出口を有してなるクーラー本体と、
クーラー本体内の上部に設けられ、適宜量の氷をクーラー本体の空気流入口と対向する位置に載置可能で、氷から生じる冷水を流出するための冷水孔を有してなる氷皿と、
クーラー本体の空気流出口に張設され、前記氷皿の冷水孔から流出する冷水を浸透するとともに適度の通気性を有してなる冷水浸透シートと、
クーラー本体内に設けられ、外部空気をクーラー本体の空気流入口から吸い込み、氷皿の氷間を通過させた後、冷水浸透シートを介して外部へと送るための送風手段と、
前記冷水浸透シート部材の下方となるクーラー本体に着脱自在に設けられ冷水浸透シートから滴下する冷水を蓄える水タンクと、
を備えて構成し、
氷を利用者に目視可能とすることで清涼感を与えるとともに利用者に冷気を噴出するようにしたことを特徴とする簡易クーラー。
【発明の詳細な説明】
【０００１】
【発明の属する技術分野】
この発明は、氷を投入することで冷気を噴出する事が可能な簡易クーラーに関するものである。
【０００２】
【発明の背景】
従来において冷気を噴出する装置としてオゾン等の気化熱を利用したクーラーが知られている。このクーラーはオゾン等を圧縮するコンプレッサーや、冷気を室内に均等に噴出するファン等を備えた重量のある大掛かりな装置であり、電源においても乾電池の微力電流では運転が不可能で、家庭用コンセントからの電力により運転するものであり、家庭用電化製品の中でも多くの電力を必要とする装置の一つである。
また、クーラーはコンプレッサー部を室外に設置する必要があるため、壁や窓に対して所定の連結具により強固に固定されるもので、家庭内においても各部屋に移動させることが不可能であり、各人が都合に合わせて気軽に利用出来るものではない。
【０００３】
一方、厚さを和らげる装置として適度な風を送る扇風機が挙げられる。この扇風機においては室内全体に空気を送るためファンを左右に回動させる大型扇風機や、机の上に載せて各人が使用出来るように形成された卓上扇風機、そして携帯に適した乾電池式扇風機等の種々の扇風機が提供されていて、いずれの扇風機も運搬が可能でありクーラーと異なり各人が都合のいい場所で気軽に利用することが出来る。
しかしながらこの扇風機においては、単に周辺の空気を流動させるもので、手軽に利用出来る反面、クーラーのように冷気を生成するものではなく厚さを充分に解消するものではない。
【０００４】
このため、クーラーのように冷気が噴出可能で、かつ扇風機のように手軽に移動して使用できる装置、すなわちこれら両者の各利点を備えた装置の提供が望まれた。
【０００５】
【課題を解決するための手段】
この発明に係る簡易クーラーは、氷を投入することで冷気を噴出する事が可能で、持運びが容易な簡易クーラーを提供することで上記従来の課題を解決しようとするものである。
【０００６】
そして、この簡易クーラーを、一部あるいは全体が透明材によって形成され前面側上部に空気流入口を前面側下部に空気流出口を有してなるクーラー本体と、クーラー本体内の上部に設けられ適宜量の氷をクーラー本体の空気流入口と対向する位置に載置可能で氷から生じる冷水を流出するための冷水孔を有してなる氷皿と、クーラー本体の空気流出口に張設され前記氷皿の冷水孔から流出する冷水を浸透するとともに適度の通気性を有してなる冷水浸透シートと、クーラー本体内に設けられ外部空気をクーラー本体の空気流入口から吸い込み氷皿の氷間を通過させた後、冷水浸透シートを介して外部へと送るための送風手段と、前記冷水浸透シート部材の下方となるクーラー本体に着脱自在に設けられ冷水浸透シートから滴下する冷水を蓄える水タンクと、を備えて構成する。
【０００７】
これによって、氷を利用者に目視可能とすることで清涼感を与えるとともに、利用者に冷気を噴出するようにして上記従来の課題を解決しようとするものである。
【０００８】
【発明の実施の形態】
図面にもとづいてこの発明の実施形態を説明する。図１はこの発明の請求範囲第１項に係る簡易クーラーの一実施形態を示す正面図であり、図２は図１に示した簡易クーラーの断面図である。
【０００９】
図において１は頭部に丸みを帯びた円筒形状のクーラー本体であり、このクーラー本体１は透明樹脂材によって形成され、内部の様子が確認できるようになっている。なお、このクーラー本体１に薄い色彩、例えば清涼感のある水色等の色彩を与えても良く、また各部位によって異なる複数の色彩を施すようにしても良い。
そしてこのクーラー本体１は、前面側（図２では左側）の上部に空気流入口２を、前面側の下部に空気流出口３を、備えておりこれらはいずれも図に示すように略垂直状態に形成されている。
【００１０】
また、４は氷皿であり、この氷皿４はクーラー本体１の内部上方に固定されていて、空気流入口２から投入された適宜量の氷を載置可能であり、この氷を空気流入口２と対向するように支持するようになっている。これによって利用者は空気流入口２から氷を目視可能である。
なお、氷皿４は図２に示すように後方部（図では右側部）がクーラー本体１の内壁面と適宜の距離をおくよう設置されていて、この間隙部には空気が通過可能となっている。
また、この氷皿４には時間の経過によって氷から生じる冷水を流水するためのスリット状の冷水孔４ａをクーラー本体１の前面側に備えている。そして、氷皿４は、冷水が氷皿４上に滞留することなく、冷水孔４ａから流出するよう冷水孔４ａが下方となるよに僅かに傾斜した状態で設置されている。
【００１１】
なお、この氷皿４へ投入される氷は一般家庭の冷蔵庫によって生成した氷や、適宜の大きさに砕かれてなる市販の飲料用氷、不要となった氷等、いずれの氷であっても良い。
【００１２】
また、５は冷水浸透シートであり、この冷水浸透シート５は冷水を染み込むとともに空気を通過可能な適度な通気性を備えたシート材からなっていて、前記氷皿４のスリット状の冷水孔４ａに対して上縁部を連結され、クーラー本体１の空気流出口３に対して張設されている。
【００１３】
そして、６は送風手段であり、この送風手段６は軸部にファンを有したモーターと、このモーターに接続される乾電池と、モーターのオンオフ用スイッチと、を備え、前記冷水浸透シート５と対向するようにクーラー本体１内に設けられている。
【００１４】
また、７は水タンクであり、この水タンク７は図２に示すようにクーラー本体１の下方部、すなわち冷水浸透シート５の下方において着脱自在設けられていて冷水浸透シート５の下端から滴下する水を受け止めて適宜量貯留することが可能である。そして、必要に応じて取り出して溜まった水を処理することが出来るようになっている。
【００１５】
以上の構成からなる簡易クーラーは、氷皿４に投入された氷を利用者が目視可能であり、少しずつ溶けてゆく氷も目視することによって利用者に対し清々しい清涼感を与えることが可能である。
【００１６】
そして、氷から生じた冷水は、氷皿４の上面を流動して冷水孔４ａから冷水浸透シート５の上縁へと達し、冷水浸透シート５に徐々に染み込み、遂には冷水浸透シート５の全面へと広がるように浸透してゆく。
【００１７】
一方、送風手段６はモーターによりファンを回転させることで空気を流動させる。この送風手段６によって流動する空気は、図の矢符に示すようにまずクーラー本体１の空気流入口２からクーラー本体１内へと流入する。そして、この空気は複数の氷の間を通過することによって冷風となり氷皿４上を通過して送風手段６まで引き込まれる。
次いで冷風は、送風手段６のファンを介して冷水浸透シート５方向へと流動し、冷水浸透シート５を通過することによって更に冷やされた後に外部、すなわち利用者方向へと放出される。
【００１８】
ところで、簡易クーラー内の氷は空気流入口２から目視可能であり、この空気収入口２には蓋等が設けられていないが、この空気流入口２から氷が放出する冷気が漏れ出してしまうことはない。すなわち、空気流入口２には送風手段６によって常に外部から内部方向へと空気が流動しているので氷から放出される冷気は外部に漏れることなく内部へと流動することになる。
【００１９】
一方、冷水浸透シート５に染み込んだ冷水は、送風手段６からの冷風が通過することによって大半が蒸発するが、蒸発することなく冷水浸透シート５の下端まで流下した冷水は水タンク７へと滴下する。この滴下した水が所定量溜まった際には水タンク７を引き出して水を処理すれば良く、水がどの程度溜まったかはクーラー本体１が透明に形成されているので外部から容易に確認することが可能である。
そして、水タンク７に溜まった水の存在もまた利用者に対して清涼感を与えることが出来る。また、冷水浸透シート５を水タンク７内の水に接触するよう構成すれば、水タンク７内の水を冷水浸透シート５に浸透させ、送風手段６によって冷風として蒸発放出することが可能である。
【００２０】
この簡易クーラーによれば、氷が完全に溶け、更に冷水浸透シート５が乾くまでの所定の時間内冷風を放出し続けることが可能であり、例えば、お茶や雑誌を楽しむ、あるいは音楽鑑賞をする等、日常における適宜のリラックス時間内であれば冷気を放出し続けることが可能である。勿論、必要に応じて氷を追加投入すればより長く冷気を放出可能である。
【００２１】
一方、図３はこの発明の請求の範囲第１項に係る簡易クーラーの他の実施形態を示す正面図である。次に図３に基づいてこの簡易クーラーの説明をする。なお、図１および図２に示した簡易クーラーと同一箇所には同一符号を付して重複説明は省略する。
【００２２】
図３に示す簡易クーラーは、冷水を蓄えるための水タンク７がグリップ状に形成されていてこのクリップ状の水タンク７はクーラー本体１の下端部に着脱自在に設けられ、冷水浸透シート５から滴下する冷水を貯留することが出来るようになっている。
またこの簡易クーラーは、送風手段と冷水浸透シートとの間（図２参照）が狭く構成されており、その全体の厚みは図１および図２に示した簡易クーラーと比較して薄型となっている。
【００２３】
そして、この簡易クーラーは、グリップ状の水タンク７を持つことによって片手で使用することが出来、これによって、冷風を例えば「顔」「首」「胸」等の所望の箇所へと容易に送ることが可能で、従来のクーラーでは出来なかった使用法が実現可能である。
なお、このグリップ状の水タンク７は透明樹脂材によって形成され、水がどの程度溜まったかを外部から容易に確認出来、また貯留する冷水によって手のひらを冷やすことも可能である。
【００２４】
以上説明したように、この発明に係る図１ないし図３に示した簡易クーラーは小型、軽量に構成されており、更に乾電池によって運転が可能であるので、各利用者は自分が使用したい所定の場所へと簡易クーラーを容易に持運び出来、家庭内での利用は勿論、野外であっても利用することが可能である。
【００２５】
なお、図では簡易クーラーを円筒形に形成する例、グリップ状に水タンクを形成する例、等を示したが簡易クーラーの形状を例えば「動物」や「キャラクター」等の他の形状にしても良く、この簡易クーラーの形状は特に限定されるものではない。
【００２６】
また、簡易クーラーの送風手段を乾電池によって運転する例を示したが、家庭用コンセントからの電力で送風手段を運転するようにしても良く、乾電池と家庭用コンセントのいずれかに切替可能に構成しても良い。
【００２７】
【発明の効果】
この発明に係る簡易クーラーは以上説明したように、外部空気を氷に当てることで冷風とし、更にこの冷風を冷水が染み込んだ冷水浸透シートを通すことで冷やした後に放出するよう構成したので、涼しい風を利用者へと送ることが可能である。また、少しずつ溶けてゆく氷、水タンク内に溜まる水を利用者に目視可能としてので、利用者に清涼感を与えることが可能である。
そして、この簡易クーラーは持運びが容易であるので使用場所が限定されることはなく、各利用者が望む所定場所で利用が可能であり、野外においても利用可能である。
【図面の簡単な説明】
【図１】この発明に係る簡易クーラーの一実施形態を示す正面図である。
【図２】図１に示した簡易クーラーの断面図である。
【図３】この発明に係る簡易クーラーの他の実施形態を示す正面図である。
【符号の説明】
１    クーラー本体
２    空気流入口
３    空気流出口
４    氷皿
４ａ  冷水孔
５    冷水浸透シート
６    送風手段
７    水タンク
【図１】
2004264006.tif 000003
【図２】
2004264006.tif 000004
【図３】
2004264006.tif 000005